(57)【要約】      （修正有）【課題】花卉を収納する内部空間を容易に形成することができる花卉包装材の提供する。【解決手段】花卉包装袋１００では、第１袋片１０１と第２袋片１０３とが側部Ｓ１０１で接合される。側部Ｓ１０１は、４５度よりも小さい傾きβで中心軸に向かって傾斜する第２側辺を有している。側部Ｓ１０１の一部では、第１袋片１０１と第２袋片１０３とは接合されない。これにより、花卉包装袋１００に花卉束を挿入した際に、花卉包装袋１００の側部Ｓ１０１に側部開口Ａ１０５が形成される。【選択図】図１
0003163583.tif 000002
【実用新案登録請求の範囲】
【請求項１】
左右の側部が相互に接合される第１袋片及び第２袋片を有し、前記第１袋片と前記第２袋片との間に花卉を収容する花卉包装材であって、
前記側部は、
前記第１袋片及び前記第２袋辺は、それぞれ、
前記側部の上端点から所定の傾きで中心軸に向かって傾斜する第１側辺、
前記中心軸に向かって傾斜する第２側辺であって、前記第１側辺の前記傾きよりも緩い傾きを有する第２側辺、
前記第２側辺の下端点から所定の傾きで前記中心軸方向に傾斜する第３側辺、
を有し、
前記第２側辺の前記傾きが、
前記中心軸からの傾きが４５度よりも小さいこと、
を特徴とする花卉包装材。
【請求項２】
請求項１に係る花卉包装材において、
前記側部の一部が接合されないこと、
を特徴とする花卉包装材。
【請求項３】
請求項２に係る花卉包装材において、
少なくとも前記第１側辺と前記第２側辺との交点が接合されていないこと、
を特徴とする花卉包装材。
【請求項４】
請求項３に係る花卉包装材において、
前記第１袋片及び前記第２袋辺は、それぞれ、
前記交点を取り除くように、前記第１側辺と前記第２側辺とを接続する第４側辺、
を有する花卉包装材。
【請求項５】
請求項４に係る花卉包装材において、
前記第４側辺は、
円弧形状を有していること、
を特徴とする花卉包装材。
【考案の詳細な説明】
【技術分野】
【０００１】
本考案は、花卉を包装する花卉包装材に関し、特に花卉を収納する内部空間を容易に形成するものに関する。
【背景技術】
【０００２】
従来の花卉包装材である包装スリーブ１０について図１４、図１５を用いて説明する。図１４
(Ａ)は包装スリーブ１０を示す正面図であり、図１４ (Ｂ)は図１４(Ａ)のａ−ａ線に沿って包装スリーブ１０を示す断面図である。また、図１５は包装スリーブ１０の使用状態を示す斜視図である。
【０００３】
まず、図１４ (Ａ)、(Ｂ)に示すように、包装スリーブ１０は、ほぼ台形状の表側シート１２と裏側シート１３とを備えており、それぞれのシート１２、１３は熱可塑性樹脂を用いて形成されている。このようなシート１２、１３の両側辺部１２ｃ、１２ｄ、１３ｃ、１３ｄは相互に接合されるようになっている。それぞれのシート１２、１３は熱可塑性樹脂によって形成されていることから、表側シート１２と裏側シート１３との両側辺部１２ｃ、１２ｄ、１３ｃ、１３ｄを重ねた状態で加熱することにより、両側辺部１２ｃ、１２ｄ、１３ｃ、１３ｄを溶融させて相互に接合することが可能となっている。
【０００４】
このような包装スリーブ１０では、図１５に示すように、花束Ｆをその根元からシート１２、１３間に挿入して、花束Ｆを容易かつ迅速に包装することが可能となる。
【先行技術文献】
【特許文献】
【０００５】
【特許文献１】特開２００６−１３７４７２号公報
【考案の概要】
【考案が解決しようとする課題】
【０００６】
前述の従来の包装スリーブ１０には、以下に示すような改善すべき点がある。図１５に示すように、包装スリーブ１０は、花や葉を包装スリーブ１０によって包装せずに、包装スリーブ１０の外側に配置する場合に使用される。したがって、花や葉を含めて包装する場合、例えば、榊や仏花を包装する場合に、包装スリーブ１０を用いると、包装スリーブ１０では花や葉を収納するために必要な内部空間が十分に形成されず、花や葉を綺麗に保持することができない、といった改善すべき点がある。
【０００７】
そこで、本考案は、花卉を収納する内部空間を容易に形成することができる花卉包装材の提供を目的とする。
【考案の効果】
【０００８】
本考案における課題を解決するための手段及び考案の効果を以下に示す。
【０００９】
本考案に係る花卉包装材は、左右の側部が相互に接合される第１袋片及び第２袋片を有し、前記第１袋片と前記第２袋片との間に花卉を収容する花卉包装材であって、前記側部は、前記第１袋片及び前記第２袋辺は、それぞれ、前記側部の上端点から所定の傾きで中心軸に向かって傾斜する第１側辺、前記中心軸に向かって傾斜する第２側辺であって、前記第１側辺の前記傾きよりも緩い傾きを有する第２側辺、前記第２側辺の下端点から所定の傾きで前記中心軸方向に傾斜する第３側辺、を有し、前記第２側辺の前記傾きが、前記中心軸からの傾きが４５度よりも小さいこと、を特徴とする。
【００１０】
これにより、大きく水平に広がるように葉等が配置された三角形形状を有する花卉であっても、広がった葉等の形状を壊すことなく、均整の取れた状態で花卉束を収納することができる。
【００１１】
本考案に係る花卉包装材は、左前記側部の一部が接合されないこと、を特徴とする。
【００１２】
これにより、使用の際に側部に開口を形成することができる。よって、第１袋片と第２袋片との間に、花卉を収納するために十分な内部空間を形成することができる。
【００１３】
また、内部空間は、側部の周辺において第１袋片側及び第２袋片側に拡張される。よって、従来のように収納した花卉を花卉包装袋自身によって圧迫することがなくなるので、均整の取れた状態で花卉を収納することができる。
【００１４】
さらに、大きな開口を形成することができるので、内部空間の通気性が良くなる。このため、収納する花卉束の鮮度をより長く維持することができる。
【００１５】
本考案に係る花卉包装材では、少なくとも前記第１側辺と前記第２側辺との交点が接合されていないこと、を特徴とする。
【００１６】
これにより、使用時における内部空間の形成の際に障害となる第１側辺と第２側辺との交点を取り除くことができる。よって、内部空間を容易に拡張することができる。
【００１７】
本考案に係る花卉包装材では、前記第１袋片及び前記第２袋辺は、それぞれ、前記交点を取り除くように、前記第１側辺と前記第２側辺とを接続する第４側辺、を有する。
【００１８】
これにより、第４側辺の大きさを調整することによって、側部に形成される開口の大きさを容易に調整することができる。
【００１９】
本考案に係る花卉包装材では、前記第４側辺は、円弧形状を有していること、を特徴とする。
【００２０】
これにより、第４側辺を容易に形成することができる。
【図面の簡単な説明】
【００２１】
【図１】本考案に係る花卉包装材の一実施例である花卉包装袋１００の使用状態を示す図である。
【図２】花卉包装袋１００の正面図である。
【図３】花卉包装袋１００の上面図である。
【図４】花卉包装袋１００の底面図である。
【図５】花卉包装袋１００の右側面図である。
【図６】花卉包装袋１００の図２のａ−ａ断面における断面図である。
【図７】花卉包装袋１００の使用参考図である。
【図８】花卉包装袋１００の使用参考図である。
【図９】花卉包装材の他の実施例を示す図である。
【図１０】花卉包装材の他の実施例を示す図である。
【図１１】花卉包装材の他の実施例を示す図である。
【図１２】花卉包装材の他の実施例を示す図である。
【図１３】花卉包装材の他の実施例を示す図である。
【図１４】従来の花卉包装材を示す図である。
【図１５】従来の花卉包装材を示す図である。
【考案を実施するための形態】
【００２２】
以下、本考案の実施例について、図面を参照しながら詳細に説明していく。
【実施例１】
【００２３】
１．概要
本考案に係る花卉包装材の一実施例である花卉包装袋１００は、複数の花卉が一体となった束（以下、花卉束とする。）を包装するものである。花卉包装袋１００の使用例を図１に示す。図１では、榊からなる花卉束に花卉包装袋１００を用いた状態を示している。花卉包装袋１００は、第１袋片１０１と第２袋片１０３とが側部Ｓ１０１で接合されることによって形成される。
【００２４】
側部Ｓ１０１は、４５度よりも小さい傾きβで中心軸Ｊ１に向かって傾斜する第２側辺Ｓ１０１ｃを有している。これにより、仏花や榊等、大きく水平に広がるように葉等が配置された三角形形状を有する花卉束であっても、広がった葉等の形状を壊すことなく、均整の取れた状態で花卉束を収納することができる。
【００２５】
また、側部Ｓ１０１の一部において、第１袋片１０１と第２袋片１０３とは接合されない。これにより、花卉包装袋１００に花卉束を挿入した際に、花卉包装袋１００の側部Ｓ１０１に側部開口Ａ１０５が形成される。
【００２６】
使用の際に側部Ｓ１０１に側部開口Ａ１０５を形成することによって、花卉束を収納するために十分な内部空間を形成することができる。また、形成される内部空間は、側部Ｓ１０１の周辺において第１袋片１０１側及び第２袋片１０３側（つまり、矢印ａ１００方向）に拡張される。よって、従来のように収納した花卉束を花卉包装袋によって圧迫することがなくなるので、均整の取れた状態で花卉束を収納することができる。
さらに、大きな側部開口Ａ１０５を形成することができるので、内部空間の通気性が良くなる。このため、収納する花卉束の鮮度をより長く維持することができる。
【００２７】
２．構成
花卉包装袋１００の構成について、図２〜図５を用いて説明する。図２は花卉包装袋１００の正面図を、図３は花卉包装袋１００の平面図を、図４は花卉包装袋１００の底面図を、図５は花卉包装袋１００の右側面図を、それぞれ示している。
【００２８】
なお、花卉包装袋１００の背面図については、図２に示す正面図と同一に現れるので省略する。また、花卉包装袋１００の左側面図については、図５に示す右側面図と同一に現れるので省略する。
【００２９】
花卉包装袋１００は、図１に現れる第１袋片１０１と、第１袋片１０１の背面に現れる第２袋片１０３と、を有している。第１袋片１０１及び第２袋片１０３は、透明な熱可塑性材料、例えばポリプロピレンを用いて形成されている。
【００３０】
花卉包装袋１００は、茎部包装領域Ａ１０１及び花葉部包装領域Ａ１０３を有している。茎部包装領域Ａ１０１は、主として花卉束の茎の部分を包装するための領域である。花葉部包装領域Ａ１０３は、主として花卉束の花や葉の部分を包装するための領域である。
【００３１】
第１袋片１０１と第２袋片１０３とは、左右の側部Ｓ１０１において熱融着によって接合されている。これにより、側部Ｓ１０１が閉じられ、上端に上部開口Ａ１０７（図１参照）、下端に下部開口Ａ１０９（図１参照）を有する環状構造を有する花卉包装袋１００を形成することができる。なお、花卉包装袋１００の使用の際には、上部開口Ａ１０７から、第１袋片１０１と第２袋片１０３との間に花卉束を挿入し、下部開口Ａ１０９から花卉束の茎を突出させる。これにより、第１袋片１０１と第２袋片１０３との間に形成される内部空間に、花卉束の葉や花を適切に配置することができる。
【００３２】
側部Ｓ１０１は、第１側辺Ｓ１０１ａ、第４側辺Ｓ１０１ｂ、第２側辺Ｓ１０１ｃ、及び第３側辺Ｓ１０１ｄを有している。花卉包装袋１００では、第１側辺Ｓ１０１ａ及び第２側辺Ｓ１０１ｃにおいて第１袋片１０１と第２袋片１０３とを接合することによって、花葉部包装領域Ａ１０３を形成する。一方、第３側辺Ｓ１０１ｄにおいて第１袋片１０１と第２袋片１０３とを接合することによって、茎部包装領域Ａ１０３を形成する。
【００３３】
第１側辺Ｓ１０１ａは、側部Ｓ１０１の上端点Ｔ１から傾きαで中心軸Ｊ１に向かって傾斜するように形成される。第２側辺Ｓ１０１ｃは、傾きβで中心軸Ｊ１に向かって傾斜するように形成されている。ここで、傾きβは、傾きαよりも小さい。また、傾きβは、４５度よりも小さい。第３側辺Ｓ１０１ｄは、第２側辺Ｓ１０１ｃの下端点Ｔ２から角度γで中心軸Ｊ１に向かって傾斜するように形成される。第４側辺Ｓ１０１ｂは、第１側辺Ｓ１０１ａと第２側辺Ｓ１０１ｃとを接続するように形成される。
【００３４】
平面状態における花葉包装領域Ａ１０３の左右の第１側辺Ｓ１０１ａの間の距離Ｗ３は、包装する花卉束の葉や花を包含できる大きさとなる。一方、茎部包装領域Ａ１０１の左右の第３側辺Ｓ１０１ｄの間の距離Ｗ１は、包装する花卉束の茎を包含できる大きさとなる。このため、距離Ｗ３は距離Ｗ１に比して、大きくなる。第２側辺Ｓ１０１ｃは、第３側辺Ｓ１０１ｄから連続して形成され、第４側辺Ｓ１０１ｂを介して第１側辺Ｓ１０１ａに接続される。
【００３５】
このように、側部Ｓ１０１に、第３側辺Ｓ１０１ｄから連続して、第４側辺Ｓ１０１ｂを介して第１側辺Ｓ１０１ａに接続されるように形成され、かつ、４５度よりも小さい傾きβで中心軸Ｊ１に向かって傾斜する第２側辺Ｓ１０１ｃを配置することによって、大きく水平に広がるように葉等が配置された三角形形状を有する花卉束であっても、広がった葉等の形状を壊すことなく、均整の取れた状態で花卉束を収納することができる。
【００３６】
また、第４側辺Ｓ１０１ｂは、第１側辺Ｓ１０１ａと第２側辺Ｓ１０１ｃとの交点Ｐ近傍に、交点Ｐを取り除くように形成される。これにより、使用時における花卉束を収納するための収納空間の形成に対して障害となる交点Ｐを取り除くことができる。このように、交点Ｐを取り除くように第４側辺Ｓ１０１ｂを形成することによって、使用時において側部開口Ａ１０５を形成することができる。ひいては、花卉束を収納するために必要な収納空間を容易かつ十分に形成することができる。
【００３７】
図６は、図２におけるａ−ａ線に沿った花卉用包装材１００の断面図である。また、花卉包装袋１００の使用参考として、花卉束として仏花に使用した状態を使用参考図として図７、図８に示す。なお、図７は正面から見た状態を、図８は左側面から見た状態を、それぞれ示している。
【００３８】
［その他の実施例］
（１）第１袋片１０１及び第２袋片１０３を形成する材料  ：  前述の実施例１においては、第１袋片１０１及び第２袋片１０３を透明な熱可塑性材料を用いて形成するとしたが、例示のものに限定されない。例えば、第１袋片１０１、第２袋片１０３を、共に、又は、いずれか一方を不透明の材料により形成するようにしてもよい。また、全体を透明又は不透明とするのみならず、一部が透明でその残部が不透明、又はその逆とするようにしてもよい。さらに、一部又は全体に透明又は不透明な模様を配置するようにしてもよい。
【００３９】
（２）第１袋片１０１及び第２袋片１０３の表面形状  ：  前述の実施例１において、さらに、第１袋片１０１及び第２袋片１０３の表面に、位置又は複数の開口を配置するようにしてもよい。この場合、例えば、円形の開口を、所定の位置に配置するようにしてもよい。また、微小な開口を第１袋片１０１、第２袋片１０３の表面に均等に配置するようにしてもよい。このように、第１袋片１０１、第２袋片１０３の表面に開口を形成することによって、さらに、内部空間の通気性を良くすることができる。このため、収納する花卉束の鮮度をより長く維持することができる。
【００４０】
（３）第１袋片１０１と第２袋片１０３との接合  ：  前述の実施例１では、第１袋片１０１と第２袋片１０３とを熱融着により接合するとしたが、両者を接合できるものであれば例示のものに限定されない。例えば、両者を接着剤により接着するようにしてもよい。
【００４１】
（４）第２側辺Ｓ１０１ｃ、第３側辺Ｓ１０１ｄ  ：  前述の実施例１においては、直線上の第２側辺Ｓ１０１ｃ及び第３側辺Ｓ１０１ｄを連結することとしたが、曲線状の第２側辺Ｓ１０１ｃ及び第３側辺Ｓ１０１ｄを用いて連続するように両者を連結するようにしてもよい。この場合における花卉包装袋の正面図、上面図、底面図、右側面図を図９に示す。なお、背面図は正面図と同一であり、また、左側面図は右側面図と同一であるため省略する。
【００４２】
（５）開口Ａ１０５  ：  前述の実施例１においては、側部Ｓ１０１の一部である第４側辺Ｓ１０１ｂにおいて、第１袋片と第２袋片とが接続されず、開口Ａ１０５が形成されるとしたが、第４側片Ｓ１０１ｂを配置しないようにしてもよい。この場合、第２側辺Ｓ１０１ｃは、第１側片Ｓ１０１ａの下端点から連続して配置される。この場合における花卉包装袋の使用例を図１０に、正面図、上面図、底面図、右側面図を図１１に、それぞれ示す。なお、背面図は正面図と同一であり、また、左側面図は右側面図と同一であるため省略する。また、花卉束として仏花に使用した状態を使用参考図として図１２、図１３に示す。なお、図１２は正面から見た状態を、図１３は左側面から見た状態を、それぞれ示している。
【産業上の利用可能性】
【００４３】
本考案に係る花卉包装材は、例えば榊や仏花の包装に用いることができる。
【符号の説明】
【００４４】
１００・・・・・花卉包装袋
１０１・・・・・第１袋片
１０３・・・・・第２袋片
Ｓ１０１・・・・側部
Ｓ１０１ａ・・第１側辺
Ｓ１０１ｂ・・第４側辺
Ｓ１０１ｃ・・第２側辺
Ｓ１０１ｄ・・第３側辺
Ａ１０５・・・・側部開口
Ａ１０７・・・・上部開口
Ａ１０９・・・・下部開口
【図１】
0003163583.tif 000003
【図２】
0003163583.tif 000004
【図３】
0003163583.tif 000005
【図４】
0003163583.tif 000006
【図５】
0003163583.tif 000007
【図６】
0003163583.tif 000008
【図９】
0003163583.tif 000009
【図１０】
0003163583.tif 000010
【図１１】
0003163583.tif 000011
【図１４】
0003163583.tif 000012
【図１５】
0003163583.tif 000013
【図７】
0003163583.tif 000014
【図８】
0003163583.tif 000015
【図１２】
0003163583.tif 000016
【図１３】
0003163583.tif 000017